(57)【特許請求の範囲】
【請求項１】
第１の水廻り器具の排水口の排水方向下流側に設けられ、前記第１の水廻り器具からの排水を流す第１の排水導入管と、
前記排水口の排水方向下流側に設けられ、封水が貯留される貯留部を備えた水封式トラップと、
前記第１の排水導入管に接続され、前記貯留部の排水方向下流側に設けられて前記排水の排水方向下流側への流体の流れを許容し、前記排水の排水方向上流側への流体の流れを阻止する逆流防止弁と、
前記逆流防止弁の排水方向上流側で、かつ前記貯留部よりも下流側の鉛直方向に延びる管部分に下端が接続されて前記下端から上方に向けて延びる配管の上端に設けられ、前記逆流防止弁と前記貯留部との間に空気を導入する通気手段と、
前記第１の排水導入管の排水方向下流側に設けられ、前記第１の水廻り器具からの排水を水平方向に流す横引き管と、
前記横引き管の排水方向下流側に設けられ、前記横引き管からの前記排水を鉛直方向に落下させる竪管と、
を備える、サイホン排水構造。
【請求項２】
前記水封式トラップ及び前記逆流防止弁よりも排水方向下流側の前記第１の排水導入管、又は前記横引き管に接続され、第２の水廻り器具からの排水を流す第２の排水導入管を備える、請求項１に記載のサイホン排水構造。
【請求項３】
前記通気手段は通気弁である、請求項１または請求項２に記載のサイホン排水構造。
【請求項４】
前記逆流防止弁は、管状部と、前記管状部から延出する絞り部と、前記絞り部の先端部に設けられ弾性力で面接触して流路を閉塞する開閉弁と、を備える請求項１〜請求項３の何れか１項に記載のサイホン排水構造。
【発明の詳細な説明】
【技術分野】
【０００１】
本発明は、サイホン排水構造に関する。
【背景技術】
【０００２】
近年では、従来の勾配排水構造に代わるものとして、所謂サイホン排水構造が提案されている（例えば、特許文献１参照）。サイホン排水構造は、水廻り器具にサイホン排水管を接続し、サイホン排水管の垂下部をなす竪管にて発生するサイホン力（負圧力）を利用して、水廻り器具からの排水効率を向上させる構造である。なお、サイホン排水管は、一般の勾配排水用の排水管に比較して径が細く、水量が少なくても満流となり易いものである。
【先行技術文献】
【特許文献】
【０００３】
【特許文献１】特開２００２−１２１７９３号公報
【発明の概要】
【発明が解決しようとする課題】
【０００４】
ところで、サイホン排水管内の排水中に空気が混ざるとサイホン排水管内で異音を生じることがある。この異音は、配管内を通って水廻り器具の排水口から放出され、居住者まで伝播する場合があるが、水封式のトラップを設けることにより封水で異音の伝播を抑制することができる。
しかしながら、封水式のトラップは、例えば、排水立て管内に大きな正圧が生じると排水口から封水が噴き出して封水が損失されることにより破封が生じ、臭気が排水口から居住環境に放出される場合がある。
【０００５】
本発明は上記事実を考慮し、排水口からの異音の放出を抑制し、正圧によるトラップの封水の破封を抑制できるサイホン排水構造を提供することを目的とする。
【課題を解決するための手段】
【０００６】
請求項１に記載のサイホン排水構造は、第１の水廻り器具の排水口の排水方向下流側に設けられ、前記第１の水廻り器具からの排水を流す第１の排水導入管と、前記排水口の排水方向下流側に設けられ、封水が貯留される貯留部を備えた水封式トラップと、前記第１の排水導入管に接続され、前記貯留部の排水方向下流側に設けられて前記排水の排水方向下流側への流体の流れを許容し、前記排水の排水方向上流側への流体の流れを阻止する逆流防止弁と、前記逆流防止弁の排水方向上流側で、かつ前記貯留部よりも下流側の鉛直方向に延びる管部分に下端が接続されて前記下端から上方に向けて延びる配管の上端に設けられ、前記逆流防止弁と前記貯留部との間に空気を導入する通気手段と、前記第１の排水導入管の排水方向下流側に設けられ、前記第１の水廻り器具からの排水を水平方向に流す横引き管と、前記横引き管の排水方向下流側に設けられ、前記横引き管からの前記排水を鉛直方向に落下させる竪管と、を備える。
【０００７】
請求項１に記載のサイホン排水構造では、第１の水廻り器具の排水口から排出された排水が、第１の排水導入管、水封式トラップ、及び逆流防止弁を介して横引き管に流入する。横引き管に流入した排水は水平方向に流れ、その後、竪管に流れる。竪管が排水で満たされた状態で、竪管内の排水が重力により落下すると、竪管の内部に竪管における水頭差に対応する吸引力、即ちサイホン力が発生する。サイホン力が発生すると、横引き管内の排水は、サイホン力によって竪管に向かって吸引され、横引き管、及び竪管内が排水で満たされる所謂満流となって横引き管、及び竪管内を流下する。
【０００８】
請求項１に記載のサイホン排水構造では、水封式トラップの貯留部に封水が貯留されており、空気が連続しない構成となっているので、貯留部よりも排水方向下流側で発生した音が流路を介して排水方向上流側へ伝播しようとしても、音の伝播（空気の振動）を封水で抑制することができ、貯留部よりも排水方向下流側で発生した音が排水口から放出されることを抑制できる。
【０００９】
また、第１の排水導入管には逆流防止弁が接続されているので、横引き管側が正圧となった場合に、逆流防止弁が横引き管側から排水口側への空気や排水の逆流を抑制することができ、水封式トラップの破封を抑制することができる。これにより、封水が排水口から噴き出すことや、臭気が排水口から居住環境へ放出されることが抑制される。
なお、「正圧」とは、第１の水廻り器具が配置されている環境の外気よりも圧力が高いことを意味する。
水封式トラップは、第１の排水導入管の長手方向の端部に設けられていても良く、第１の排水導入管の長手方向の中間部に設けられていても良い。また、水封式トラップは、第１の水廻り器具に取り付けられている場合もある。逆流防止弁は、第１の排水導入管の長手方向の端部に設けられていても良く、第１の排水導入管の長手方向の中間部に設けられていても良い。
請求項１に記載のサイホン排水構造では、逆流防止弁が貯留部の排水方向下流側に設けられているため、逆流防止弁が、貯留部の封水に正圧が掛ることを抑制できる。
請求項１に記載のサイホン排水構造では、例えば、貯留部よりも排水方向下流側が負圧になったときに、通気手段から第１の排水導入管に空気を導入することで、負圧を抑制することができ、これにより、水封式トラップの破封を抑制することができる。
なお、「負圧」とは、サイホン排水構造が配置されている環境の外気よりも圧力が低いことを意味し、サイホン力によって排水とともに排水管内の空気が吸引されることによって生じる。
【００１４】
請求項２に記載の発明は、請求項１に記載のサイホン排水構造において、前記水封式トラップ及び前記逆流防止弁よりも排水方向下流側の前記第１の排水導入管、又は前記横引き管に接続され、第２の水廻り器具からの排水を流す第２の排水導入管を備える。
【００１５】
請求項２に記載のサイホン排水構造では、第２の水廻り器具からの排水を、第２の排水導入管を介して第１の排水導入管又は横引き管に流すことができる。第２の水廻り器具から排水を排出する際に、排水が第２の排水導入管の内部の空気を押し、これによって、第２の排水導入管の第１の水廻り器具側の第１の排水導入管が正圧になる場合があるが、第２の排水導入管の第１の水廻り器具側の第１の排水導入管に逆流防止弁が設けられているため、第２の水廻り器具から排水が排出されても水封式トラップの破封は抑制される。
【００１８】
請求項３に記載の発明は、請求項１または請求項２に記載のサイホン排水構造において、前記通気手段は通気弁である。
【００１９】
請求項３に記載のサイホン排水構造では、例えば、貯留部よりも排水方向下流側が負圧になったときに、通気弁を介して第１の排水導入管に空気を導入することができる。通気弁を用いることで、通気手段の構成が簡単になる。
なお、通気弁とは、排水時に大気を吸い込んで水封式トラップの封水を保護し、平常時に弁閉して悪臭の漏れ等を防止するものである。通気弁としては、一例として、特開２００９−２９９８６６号公報に記載のものを挙げることができる。
【００２０】
請求項４に記載の発明は、請求項１〜請求項３の何れか１項に記載のサイホン排水構造において、前記逆流防止弁は、管状部と、前記管状部から延出する絞り部と、前記絞り部の先端部に設けられ弾性力で面接触して流路を閉塞する開閉弁と、を備える。
【００２１】
請求項４に記載のサイホン排水構造の逆流防止弁は、管状部を配管等に接続することができる。第１の水廻り器具から排水が排出されない通常時においては、逆流防止弁は、開閉弁が流路を閉塞しており、排水方向上流側への流体の流れを阻止する。一方、第１の水廻り器具から排水が排出されると、開閉弁が排水で押し広げられ、排水が逆流防止弁の排水方向下流側へ流れる。逆流防止弁を本構成としたので、粉砕生ごみや、夾雑物の通過が一般的な逆止弁より優れており、また、正圧時に閉まる方向に働く反応スピードが早く、微圧でも閉まることができる。
【発明の効果】
【００２２】
以上説明したように本発明のサイホン排水構造は上記の構成としたので、排水口からの異音の放出を抑制しつつ、正圧によるトラップの破封を抑制できる、という優れた効果を有する。
【図面の簡単な説明】
【００２３】
【図１】第１の参考例に係るサイホン排水システムが適用された建物の一部を示す断面図である。
【図２】第１の参考例のサイホン排水システムに係る逆流防止弁を示す、排水方向下流側から見た斜視図である。
【図３】逆流防止弁の軸線に沿った断面図（図２の３−３線断面図）である。
【図４】（Ａ）は排水方向下流側からみた開閉弁が閉じている逆流防止弁を示す正面図であり、（Ｂ）は排水方向下流側からみた開閉弁が開放されている逆流防止弁を示す正面図である。
【図５】第２の参考例に係るサイホン排水システムが適用された建物の一部を示す側面図である。
【図６】第２の参考例の変形例に係るサイホン排水システムが適用された建物の一部を示す側面図である。
【図７】第１の実施形態に係るサイホン排水システムが適用された建物の一部を示す側面図である。
【図８】参考例（第１の実施形態の変形例）に係るサイホン排水システムが適用された建物の一部を示す側面図である。
【図９】第２の実施形態に係るサイホン排水システムが適用された建物の一部を示す側面図である。
【図１０】参考例（第２の実施形態の変形例）に係るサイホン排水システムが適用された建物の一部を示す側面図である。
【図１１】第３の参考例に係るサイホン排水システムが適用された建物の一部を示す側面図である。
【図１２】参考例（第３の参考例の変形例）に係るサイホン排水システムが適用された建物の一部を示す側面図である。
【発明を実施するための形態】
【００２４】
［第１の参考例］
本発明の実施形態を説明する前に、図１〜図４を用いて、第１の参考例に係るサイホン排水システム１０について説明する。
【００２５】
図１に示すように、住戸のスラブ１２の上には、間隔をあけて床パネル１４が配置されており、床パネル１４の上には、第１の水廻り器具としての台所流し１６、及び第２の水廻り器具としての食洗機１８が配置されている。台所流し１６の排水口１６Ａにはディスポーザ２０が取り付けられている。ディスポーザ２０の排水方向下流側には、配管２１、水封式の排水トラップ２２、逆流防止弁付き継手２４が配置されており、逆流防止弁付き継手２４の排水方向下流側には、配管２６が接続されている。配管２６は、鉛直部分２６Ａと、鉛直部分２６Ａの下端から水平方向に延びる水平部分２６Ｂとを有し、側面視で略Ｌ字形状を呈している。なお、本参考例の配管２１、及び配管２６が本発明の第１の排水導入管に相当するものであり、台所流し１６の排水を流すものである。
【００２６】
配管２６の排水方向下流側には、合流継手２７、及びサイホン排水管２８が配置されている。サイホン排水管２８は、配管２６と同じ内径とされた横引き管２８Ａ、及び竪管２８Ｂを含んで構成されている。なお、サイホン排水管２８と配管２６とは異なる内径であっても良い。
配管２６には、合流継手２７を介してサイホン排水管２８の横引き管２８Ａが接続されている。また、食洗機１８は、配管２９を介して合流継手２７に接続されている。横引き管２８Ａは、スラブ１２の上に配置されており、サイホン排水管２８の竪管２８Ｂは、スラブ１２に形成された縦孔３０を介して垂下され、住戸の鉛直方向に延びる排水立て管３２に接続されている。なお、本参考例の配管２９が本発明の第２の排水導入管に相当するものであり、食洗機１８の排水を流すものである。
【００２７】
排水トラップ２２は、例えば略Ｓ字形状とされ、略Ｕ字状の貯留部２２Ａの内部に封水３１を貯留する構造となっており、所謂水封式のトラップである。また、本参考例の排水トラップ２２には、封水３１の排水方向下流側に通気装置３６が接続されている。本参考例の通気装置３６は、逆流防止機能を有している通気弁であり、排水トラップ２２の排水方向下流側が負圧となった際に、外気をトラップ下流側に取り込み、排水トラップ２２の破封を抑制している。なお、通気装置３６は、配管内の排水や水が外部へ放出されることを阻止する。
【００２８】
（逆流防止弁）
逆流防止弁付き継手２４は、ゴム等の弾性材料からなる略筒状の逆流防止弁３８を備えている。逆流防止弁３８は、排水方向下流側への液体、及び気体等の流体の流れを許容し、排水方向上流側への流体の流れを阻止するものである。図２、及び図３に示すように、逆流防止弁３８は、逆流防止弁付き継手２４の本体部４０に設けられたフランジ部４２に係合する係合部としての環状の管状部４４を備えており、管状部４４の排水方向下流側には管状部４４から離れるにしたがって互いの間隔が接近する一対の平面４６を備えた略筒状の絞り部４８が一体的に形成されている。なお、管状部４４と絞り部４８とは同軸的に配置され、管状部４４の中心線（軸線）ＣＬと絞り部４８の中心線（軸線）ＣＬとは一致している。なお、ここでいう中心線ＣＬは、逆流防止弁３８を流れる流体の中心軸と一致している。
【００２９】
図２に示すように、絞り部４８の排水方向下流側（管状部４４とは反対側）には、平面４６を臨み、かつ管状部４４、及び絞り部４８の中心線ＣＬと直交する方向から見た側面視で、前記中心線ＣＬと直交する方向が長手方向とされた略Ｖ字状の開閉弁５０が一体的に形成されている。なお、絞り部４８とは、中心線ＣＬと直交する通路断面積が、本体部４０から開閉弁５０に向けて徐々に絞られる、即ち、小となる部分である（図３参照）。なお、開閉弁５０は、図４（Ａ）に示すように一定厚さに形成されている。
【００３０】
図４（Ａ）に示すように、逆流防止弁３８を軸方向下流側から見たときに、開閉弁５０には、厚さ方向中央部分に、長手方向に沿って軸方向に貫通する切り込み５２が形成されている。切り込み５２を挟んで一方側の平板部分５４と他方側の平板部分５４とは、長手方向両端部で軸方向全体に渡って互いに連結されている。開閉弁５０は、排水方向上流側（絞り部４８側）から圧力が付与されない限りは、図４（Ａ）に示すように、切り込み５２の一方側の平板部分５４と、他方側の平板部分５４とが互いに面接触して密着することで弁として閉塞しており、排水方向上流側から圧力が付与されると、図４（Ｂ）に示すように、一方側の平板部分５４と他方側の平板部分５４とが各々略円弧状に弾性変形して弁として開放状態（細長い略楕円形状に開口）となる。なお、逆流防止弁３８は、本参考例の形状に限るものでは無い。逆流防止弁３８は、一例として、国際公開公報ＷＯ９６／１９６２０、ＷＯ９８／２５０５９等に記載のものを用いることができる。
【００３１】
（作用、効果）
次に、本参考例のサイホン排水システム１０の作用、効果を説明する。
台所流し１６の使用により台所流し１６から排水がなされると、排水はディスポーザ２０、配管２１、排水トラップ２２を介して逆流防止弁付き継手２４に至る。排水が逆流防止弁３８に流入すると、図４（Ｂ）に示すように排水の圧力により開閉弁５０を押し広げ、排水は開放状態となった開閉弁５０を通過して排水方向下流側へ排出される。
【００３２】
その後、台所流し１６からの排水がサイホン排水管２８の横引き管２８Ａ、及び竪管２８Ｂを流れ、竪管２８Ｂの一部が排水で満たされた状態で、竪管２８Ｂ内の排水が重力により落下すると、竪管２８Ｂの内部に竪管２８Ｂにおける水頭差に対応するサイホン力が発生する。
【００３３】
横引き管２８Ａ内の排水は、サイホン力によって竪管２８Ｂに向かって吸引され、横引き管２８Ａ、及び竪管２８Ｂ内が排水で満たされる満流流れとなって流速を増して横引き管２８Ａ、及び竪管２８Ｂを流下し、台所流し１６からの排水が、排水立て管３２へ排出される。
【００３４】
台所流し１６から排水が終了しても、竪管２８Ｂ内が排水で満たされている状態ではサイホン力が発生しており、横引き管２８Ａ内が負圧となっているので、横引き管２８Ａ内には排水トラップ２２の通気装置３６から外部の空気が流入する。即ち、逆流防止弁３８の排水方向上流側の圧力が排水方向下流側の圧力よりも相対的に大きくなるので、逆流防止弁３８の排水方向上流側の空気圧によって開閉弁５０が押し広げられ、空気が開閉弁５０を通過する。なお、横引き管２８Ａ内が負圧となった場合、通気装置３６から横引き管２８Ａ内に空気が流入するため、排水トラップ２２の封水３１に大きな負圧は作用せず、排水トラップ２２の破封は抑制される。
【００３５】
ここで、サイホン排水管２８の排水中に空気が混ざると、サイホン排水管２８の内部で異音を発生する場合がある。特にサイホン排水では、サイホン力による吸引力によって排水を吸引するため、空気と排水が混ざりやすく、異音が発生しやすい。この異音は、横引き管２８Ａから排水方向上流側へ配管内を伝播されるが、台所流し１６の排水方向下流側に設けられた排水トラップ２２の封水３１が管路を閉塞しているため、異音が排水トラップ２２よりも排水方向上流側に伝播することが抑制される。これにより、台所流し１６の排水口１６Ａからの異音が居住者の耳元へ直接伝播し、不快感を感じさせることが抑制される。
【００３６】
排水のほとんどが竪管２８Ｂの下流端部まで排出されると、サイホン排水管２８の内部が排水立て管３２の内部空間と通気するようになり、逆流防止弁３８の排水方向上流側と排水方向下流側との圧力差が解消し、開閉弁５０が閉じる。これにより、逆流防止弁３８は、排水方向下流側からの臭気等の逆流や排水トラップ内の封水３１の損失を抑制することができる。
【００３７】
また、食洗機１８から排水がなされると、排水が配管２９の内部の空気を押すため、一時的に横引き管２８Ａ、及び配管２６の内部が正圧になる場合があるが、逆流防止弁３８は開閉弁５０が閉じた状態を維持するので、開閉弁５０の排水方向下流側の排水や空気が開閉弁５０の排水方向上流側に逆流することを抑制できる。このため、食洗機１８から排水がなされても排水トラップ２２の封水３１に正圧が加わることが抑制され、排水トラップ２２の破封が抑制される。したがって、封水３１が排水口１６Ａから噴き出すことが抑制される。なお、本参考例では、配管２９が合流継手２７を介して水平部分２６Ｂの端部に接続されていたが、水平部分２６Ｂの中間部に接続されていても良く、場合によっては横引き管２８Ａの途中に接続されていても良い。なお、上記における正圧は、立て管３２で生じる圧力変動（±４００Ｐａ程度）における正圧と対比して高い圧力であり、封水の噴出しはサイホン排水においてより顕著に生じる問題である。
【００３８】
［第２の参考例］
次に、図５を用いて、第２の参考例に係るサイホン排水システム１０について説明する。なお、第１の参考例と同一構成には同一符号を付し、その説明は省略する。
【００３９】
図５に示すように、本参考例のサイホン排水システム１０では、逆流防止弁３８の排水方向下流側の配管２６の鉛直部分２６Ａに、配管５６を介して通気装置３６が接続されている。
【００４０】
本参考例のサイホン排水システム１０においても、第１の参考例と同様に、横引き管２８Ａ内が負圧となった際に、通気装置３６から横引き管２８Ａ内に空気が流入する。本参考例のサイホン排水システム１０では、逆流防止弁３８の排水方向下流側に作用する負圧が抑えられるので、逆流防止弁３８の開閉弁５０が開放することが抑制され、排水トラップ２２の破封も抑制される。なお、図５に示すサイホン排水システム１０のその他の作用、効果は、第１の参考例と同様である。
【００４１】
図６に示す参考例に係るサイホン排水システム１０は、図５に示すサイホン排水システム１０の変形例である。図６に示すサイホン排水システム１０では、配管２６の鉛直部分２６Ａに、通気装置３６とは形状の異なる通気装置５８が直接的に接続されているものである。なお、図６に示すサイホン排水システム１０の作用、効果は、図５に示すサイホン排水システム１０と同様である。
【００４２】
［第１の実施形態］
次に、図７を用いて、本発明の第１の実施形態に係るサイホン排水システム１０について説明する。なお、前述した参考例と同一構成には同一符号を付し、その説明は省略する。
【００４３】
図７に示すように、本実施形態のサイホン排水システム１０では、逆流防止弁３８の排水方向上流側に、配管５６を介して通気装置３６が接続されている。このため、横引き管２８Ａ内が負圧となった際に、通気装置３６から逆流防止弁３８、及び配管２６を介して横引き管２８Ａ内に空気が流入し、排水トラップ２２の破封は抑制される。
【００４４】
図８に示す参考例としてのサイホン排水システム１０は、図７に示すサイホン排水システム１０の変形例である。図８に示すサイホン排水システム１０では、配管２６の鉛直部分２６Ａに、通気装置３６とは異なる形状の通気装置５８が直接的に接続されているものである。なお、図８に示すサイホン排水システム１０の作用、効果は、図７に示すサイホン排水システム１０と同様である。
【００４５】
［第２の実施形態］
次に、図９を用いて、本発明の第２の実施形態に係るサイホン排水システム１０について説明する。なお、前述した参考例、及び実施形態と同一構成には同一符号を付し、その説明は省略する。
【００４６】
図９に示すサイホン排水システム１０は、逆流防止弁付き継手２４が配管２６の水平部分２６Ｂに設けられており、逆流防止弁３８が横向きとなっているものである。
本実施形態のサイホン排水システム１０では、第１の参考例よりも逆流防止弁３８が食洗機１８に接近して設けられているため、第１の実施形態よりも排水方向下流側で、逆流を抑制することができる。なお、図９に示すサイホン排水システム１０のその他の作用、効果は、図１に示す第１の参考例のサイホン排水システム１０と同様である。
【００４７】
図１０に示す参考例としてのサイホン排水システム１０は、図９に示すサイホン排水システム１０の変形例である。図１０に示すサイホン排水システム１０では、配管２６の鉛直部分２６Ａに直接的に通気装置５８が接続されているものである。なお、図１０に示すサイホン排水システム１０の作用、効果は、図９に示すサイホン排水システム１０と同様である。
【００４８】
［第３の参考例］
次に、図１１を用いて、第３の参考例に係るサイホン排水システム１０について説明する。なお、前述した参考例、及び実施形態と同一構成には同一符号を付し、その説明は省略する。
【００４９】
図１１に示すサイホン排水システム１０は、逆流防止弁付き継手２４が、排水トラップ２２の排水方向上流側に配置される配管２１の水平部分２１Ａに設けられており、逆流防止弁３８が横向きとなっているものである。
【００５０】
本参考例のサイホン排水システム１０では、食洗機１８から排水がなされると、排水が配管２９の内部の空気を押し、配管２６の内部が正圧になる場合がある。配管２６の内部が正圧になると、排水トラップ２２の封水３１に対して排水方向下流側から圧力が作用するが、排水トラップ２２の排水方向上流側に逆流防止弁３８が設けられているため、封水３１が逆流防止弁３８を越えて台所流し１６へ逆流することは抑えられ、排水トラップ２２の破封は抑制される。したがって、封水３１が排水口１６Ａから噴き出すことが抑制される。
なお、その他の作用、効果は、前述した参考例、及び実施形態と同様である。
【００５１】
図１２に示す参考例としてのサイホン排水システム１０は、図１１に示すサイホン排水システム１０の変形例である。図１２に示すサイホン排水システム１０では、配管２１の鉛直部分２１Ｂに逆流防止弁付き継手２４が接続されているものである。なお、図１２に示すサイホン排水システム１０の作用、効果は、図１１に示すサイホン排水システム１０と同様である。
【００５２】
［その他の実施形態］
以上、本発明の一実施形態について説明したが、本発明は、上記に限定されるものでなく、上記以外にも、その主旨を逸脱しない範囲内において種々変形して実施可能であることは勿論である。
【００５３】
上記実施形態では、台所流し１６が本発明の第１の水廻り器具に相当し、食洗機１８が本発明の第２の水廻り器具に相当していたが、第１の水廻り器具、及び第２の水廻り器具は、排水を行うものであれば良く、特に種類は限定されない。水廻り器具としては、例えば、洗面台、洗濯機、ユニットバス等の風呂に備えられる浴槽及び洗い場、トイレ等を挙げることができるが、他のものであっても良い。
また、上記実施形態では、台所流し１６と食洗機１８といったように異なる水廻り器具からの排水を合流させる構造としていたが、同じ水廻り器具同士からの排水を合流させても良い。
さらに、上記実施形態では２つの水廻り器具からの排水を合流させる構造としていたが、３つ以上の水廻り器具を合流させる構造であっても良い。
【００５４】
上記実施形態の排水トラップ２２は、略Ｓ字形状とされものであったが、排水トラップ２２は、封水を貯留するものであれば他の形式のものであっても良く、公知のものを用いることができる。
【００５５】
上記実施形態のサイホン排水システム１０ではディスポーザ２０が設けられていたが、ディスポーザ２０は設けられていなくても良い。
【００５６】
通気装置３６、及び通気装置５８の通気弁は、公知のものを用いることができ、構造、形状等は任意である。
【００５７】
上記実施形態では、通気装置３６が外気を導入可能な逆流防止機能を有する通気弁であったが、本発明はこれに限らず、配管２６、及びサイホン排水管２８に空気を導入できるものであれば良く、通気装置３６に代えて、配管の一端を排水トラップ２２、又は配管２６に接続し、該配管の他端を例えば排水立て管３２等に接続する構成としても良い。この場合、排水立て管３２内の空気を配管２６、及びサイホン排水管２８に導入して配管２６の負圧を抑制することができる。
【００５８】
逆流防止弁付き継手２４の位置は、上記実施形態のものに限らない。逆流防止弁付き継手２４は、台所流し１６の排水口１６Ａと合流継手２７との間に設けられていれば良い。
【００５９】
上記実施形態では、排水トラップ２２と逆流防止弁付き継手２４とを別体としているため、これら排水トラップ２２と逆流防止弁付き継手２４とをサイホン排水構造１０の中で最適な箇所に配置することができ、サイホン排水構造１０の設計の自由度を増すことができる。また、排水トラップ２２と逆流防止弁付き継手２４とを別体とすることで、構造が複雑にならない。
【００６０】
また、従来は圧力変動を抑制するため、立て管３２のある水準の容量を確保する必要があり、立て管３２の内径の下限値に制約があった。
本発明においては、通気弁によって封水に生じる負圧の抑制と、逆流防止弁によって封水に加わる正圧を抑制できるため、立て管を細くすることができ、建築物の設計の自由度を増すことが可能となる。
【符号の説明】
【００６１】
１０…サイホン排水システム、１６…台所流し（第１の水廻り器具）、１６Ａ…排水口、１８…食洗機（第２の水廻り器具）、２１…配管（第１の排水導入管）、２６…配管（第１の排水導入管）、２８…サイホン排水管、２８Ａ…横引き管、２８Ｂ…竪管、２９…配管（第２の排水導入管）、３６…通気装置（通気手段）、３８…逆流防止弁、５８…通気装置（通気手段）
【図１】
0006647793.tif 000002
【図２】
0006647793.tif 000003
【図３】
0006647793.tif 000004
【図４】
0006647793.tif 000005
【図５】
0006647793.tif 000006
【図６】
0006647793.tif 000007
【図７】
0006647793.tif 000008
【図８】
0006647793.tif 000009
【図９】
0006647793.tif 000010
【図１０】
0006647793.tif 000011
【図１１】
0006647793.tif 000012
【図１２】
0006647793.tif 000013